(57)【要約】【課題】  現実の紙ベースによる郵便物やチラシなどの配布システムと同様にして、電子チラシや電子郵便物などの電子配達データを投函できる電子ポスト機能を可能にする。【解決手段】  データを蓄積する蓄積手段と、入力された電子配達データを蓄積手段に記憶するデータ処理手段と、外部通信手段が外部ネットワークから受信したパケットが当該ホームゲートウェイ装置自身宛のものであった場合にそのパケットを電子配達データとしてデータ処理手段へ転送する中継手段と、各戸のドアや門扉の付近に設置された入力ポートから近接無線通信を用いて電子配達データを入力し、入力された電子配達データをデータ処理手段６に出力する外部入力手段４を備える。【選択図】        図１
2007013793.tif 000002
【特許請求の範囲】
【請求項１】
外部ネットワークとのインタフェースを有しデータの送受信を行う外部通信手段と、
ホームネットワークとのインタフェースを有しデータの送受信を行う内部通信手段と、
データを蓄積する蓄積手段と、
入力された電子配達データを前記蓄積手段に記憶し、また、記憶された電子配達データを前記蓄積手段から読み出すデータ処理手段と、
前記外部ネットワークと前記ホームネットワークの間のデータを中継すると共に、外部通信手段が外部ネットワークから受信したパケットが当該ホームゲートウェイ装置自身宛のものであった場合に前記パケットを電子配達データとしてデータ処理手段へ転送する中継手段と、
各戸のドアや門扉の付近に設置された入力ポートから近接無線通信を用いて電子配達データを入力し、入力された電子配達データを前記データ処理手段に出力する外部入力手段と、
前記蓄積手段から読み出された電子配達データを表示信号に変換して表示装置に出力する表示出力手段とを備えたことを特徴とするホームゲートウェイ装置。
【請求項２】
大小の住所値を順次設定した複数の地域フィールドを持つパケットを中継手段から入力された場合に、前記地域フィールドの住所値と自己に設定された住所値とを比較し、両者が一致している場合にのみ該当パケットを電子配達データとしてデータ処理手段に転送する端末識別手段を備えたことを特徴とする請求項１記載のホームゲートウェイ装置。
【請求項３】
電子配達データに対して、受信を排除するフィルタリング条件を設定し、設定されたフィルタリング条件に該当した情報を含む電子配達データを破棄するフィルタリング手段を備えたことを特徴とする請求項１記載のホームゲートウェイ装置。
【請求項４】
外部入力手段に入力される電子配達データに対して受信の認証を行うと共に、認証された電子配達データが蓄積されたことを前記外部入力手段を介して配布元の機器に通知する認証手段を備えたことを特徴とする、請求項１記載のホームゲートウェイ装置。
【請求項５】
外部通信手段に入力されたＦＡＸデータを静止画ファイルに生成し、電子配達データとしてデータ処理手段に出力するＦＡＸ入力手段を備えたことを特徴とする請求項１記載のホームゲートウェイ装置。
【請求項６】
蓄積手段から読み出した電子配達データに含まれるクーポン情報を近接無線通信あるいは電子メールによりモバイル機器に転送するライセンス移動手段を備えたことを特徴とする請求項１記載のホームゲートウェイ装置。
【請求項７】
外部入力手段は、受信レディ表示器とステータ表示器を有し、
データ処理手段は、蓄積手段の空き状態をチェックして前記受信レディ表示器に入力可能状態を表示し、通信状態と入力された電子配達データが前記蓄積手段に格納されたか否かの状態を前記ステータス表示器に表示することを特徴とする請求項１記載のホームゲートウェイ装置。
【請求項８】
蓄積手段に蓄積された電子配達データがどの程度読まれたかの度数を計測して記録するログ手段を備えたことを特徴とする請求項１記載のホームゲートウェイ装置。
【発明の詳細な説明】
【技術分野】
【０００１】
この発明は、電子チラシや電子郵便物などの電子配達データが投函される電子ポスト機能を持つホームゲートウェイ装置に関するものである。
【背景技術】
【０００２】
チラシの電子化については、配布の省力化や配布地域の拡大、紙資源の節約といった観点から今後進展していくものと考えられる。従来、電子チラシを代表とする電子データを配布する方法として、電子メールに添付して配布することを前提とし、送付先となる電子メールアドレスと住所を関連付けて記憶しておくことで配布地域を限定するという方法が提案されている（例えば、特許文献１参照）。そのため、この方法では、サーバ側のデータベースに電子メールアドレスとその関連住所を蓄積しておき、電子チラシの配布の範囲を範囲指定手段により指定し、データベースから、指定された範囲に該当する住所を検索して、その住所に対応する電子メールアドレスを抽出し、抽出された電子メールアドレス宛に配信を行うようにしている。一方、電子新聞のシステムに同時に載せることで配布地域の限定をする方法も提案されている（例えば、特許文献２参照）。この方法では、サーバに対して地域に存在する新聞販売店端末から電子チラシデータをアップロードしておき、購読者側が新聞を閲覧するのと合わせて電子チラシを閲覧するようにしている。
【０００３】
【特許文献１】特開２００１−１８９７４８号公報
【特許文献２】特開２００３−６７５８７号公報
【発明の開示】
【発明が解決しようとする課題】
【０００４】
従来の電子チラシを扱うシステムは、下記のような問題点があった。
電子メールアドレスを宛先識別の方法としているが、電子メールアドレスは個人ベースのもので世帯の代表とは必ずしもならない。また、一般的に公開されているものではない。更に、引越しなどで住所が変わっても不変である。一人が複数の電子メールアドレスを保有していることもよくあり一意性に問題がある。
電子チラシを配布してもらうために、電子メールアドレスを予め申請・登録したり、電子新聞を購読するといった能動的な操作を必要としていた。一方、紙チラシの中には、各家々を回り、対象としてふさわしいところに一方的に投函するといったことも日常的に行われている。これはポストといった各家庭にほぼ一様に設置してある投函箱を前提としていて成立している。
書留郵便や配達証明郵便といった配達の事実を客観的に証明するためには、公的な機関を経由する必要があるが、電子メールではなかなかそれが困難となっていた。それを各戸に代表する形で電子ポストを設置し、電子データの投函時に認証することで、従来と同様の第三者的な証跡を可能とする。
また従来は、ユーザが広告情報を意図的に求める能動的なアプローチが前提となっていた。しかしながら、新聞の折込チラシのようにその新聞を購読している人には無差別に配布されるといった受動的なアプローチもチラシとしては重要である。一方的にチラシを配る場合には、無差別に配っても効果が少ないことから、配布対象の絞込みがなされる。地域、居住者の属性など。電子チラシでもこれと同等なことが行える必要がある。
【０００５】
この発明は、上記問題点を解決するためになされたもので、現実の紙ベースによる郵便物やチラシなどの配布システムと同様にして、電子チラシや電子郵便物などの電子配達データを投函できる電子ポスト機能を可能にするホームゲートウェイ装置を得ることを目的とする。
【課題を解決するための手段】
【０００６】
この発明に係るホームゲートウェイは、外部ネットワークとのインタフェースを有しデータの送受信を行う外部通信手段と、ホームネットワークとのインタフェースを有しデータの送受信を行う内部通信手段と、データを蓄積する蓄積手段と、入力された電子配達データを蓄積手段に記憶し、また、記憶された電子配達データを蓄積手段から読み出すデータ処理手段と、外部ネットワークとホームネットワークの間のデータを中継すると共に、外部通信手段が外部ネットワークから受信したパケットが当該ホームゲートウェイ装置自身宛のものであった場合にパケットを電子配達データとしてデータ処理手段へ転送する中継手段と、各戸のドアや門扉の付近に設置された入力ポートから近接無線通信を用いて電子配達データを入力し、入力された電子配達データをデータ処理手段に出力する外部入力手段と、蓄積手段から読み出された電子配達データを表示信号に変換して表示装置に出力する表示出力手段とを備えたものである。
【発明の効果】
【０００７】
この発明によれば、インターネットによる電子メールとは異なり、第三者によるネットワーク経由あるいは人手による配達により投函される電子チラシや電子郵便物などの電子配達データに対する電子ポスト機能を実現し、これら受信した電子配達データの利便性を高める効果がある。また、紙ベースと同じ文字、図形、静止画による表現の他に、動画による表現も可能とし、さらに双方向通信によるインタラクティブな広告媒体としての発展性なども期待できる。
【発明を実施するための最良の形態】
【０００８】
実施の形態１．
図１はこの発明の実施の形態１によるホームゲートウェイ装置の構成を示すブロック図である。
図において、ホームゲートウェイ装置１が宅内に設置され、電話線や光ファイバを介してインターネット１０といった外部ネットワークに接続され、一方、宅内に設けられた有線ＬＡＮ（Local Area Network）や無線ＬＡＮなどのホームネットワーク１１を介して、例えばパソコン１２のような情報端末や表示装置９に接続されている。このホームゲートウェイ装置１は、外部通信手段２、内部通信手段３、外部入力手段４、中継手段５、データ処理手段６、蓄積手段７および表示出力手段８などから構成されている。
外部通信手段２は、外部ネットワークであるインターネット１０とのインタフェースを有し、データの送受信を行う手段である。内部通信手段３は、有線ＬＡＮや無線ＬＡＮといった家庭内のホームネットワーク１１とのインタフェースを有しデータの送受信を行う手段である。蓄積手段７は、ハードディスクや大容量不揮発メモリなどで構成され、入力されたデータを蓄積する手段である。中継手段５は、インターネット１０とホームネットワーク１１間のデータを中継すると共に、当該ホームゲートウェイ装置宛に受信した電子チラシ情報をデータ処理手段６に転送する手段である。外部入力手段４は、各戸のドアや門扉の付近に設置された入力ポートから近接無線通信を用いて電子チラシ情報を入力、入力された電子チラシ情報をデータ処理手段６に出力する手段である。データ処理手段６は、入力された電子チラシ情報から電子チラシデータを生成して蓄積手段７に記憶し、また、記憶された電子チラシデータを蓄積手段７から読み出す手段である。表示出力手段８は、蓄積手段７から読み出された各種データを表示信号に変換して表示装置９に出力する手段である。
【０００９】
次に動作について説明する。
まず、家庭内の情報端末であるパソコン１２を用いて、ＡＤＳＬ（Asymmetric Digital Subscriber Line）あるいはＦＴＴＨ（Fiber To The Home）といったデータ通信サービスを利用してインターネット１０上にあるサーバあるいは他の情報端末と通信を行う場合を考える。このアクセスは通信終端機能を有する外部通信手段２から行われ、その結果として、ＩＰ（Internet Protocol）パケットを受信する。外部通信手段２でＩＰパケットを受信すると、中継手段５によりその宛先アドレスを判別する。宛先アドレスがホームネットワーク１１側に存在する端末宛であった場合、中継手段５は内部通信手段３を介してＩＰパケットをホームネットワーク１１側に中継する。該ＩＰパケットはホームネットワーク１１に接続されたパソコン１２で受信される。一方、パソコン１２から送信されたＩＰパケットは逆のパスを通ってインターネット１０に出力される。
【００１０】
中継用のデータではないが、電子チラシがＩＰパケットでホームゲートウェイ装置１宛に送られてくる。ここで、ホームゲートウェイ装置１用に１つのＩＰアドレスが設定されているものとする。中継手段５では、電子チラシのＩＰパケットの宛先アドレスが当該装置自身のものであった場合は、中継データではないと判断してデータ処理手段６側へ転送する。データ処理手段６では、転送された複数のＩＰパケットから電子チラシデータを生成し、蓄積手段７に書き込み蓄積する。
また、電子チラシは別の方法でホームゲートウェイ装置１に投函される。外部入力手段４において、各戸のドアや門扉の付近に設置された入力ポートに対して、非接触型ＩＣカード、赤外線通信、Ｂｌｕｅｔｏｏｔｈ（登録商標：近接無線通信方式の規格）などの近接無線通信を用いて電子チラシ情報が入力される。外部入力手段４で受信された電子チラシ情報はデータ処理手段６に送られて、電子チラシデータを生成して蓄積手段７に書き込まれる。
【００１１】
蓄積手段７に一旦蓄積された電子チラシデータは、表示装置９側からの要求があると、表示出力手段８で表示装置９の属性に沿った表示信号に変換され出力される。例えば、表示装置９が一般のテレビの場合には、表示出力手段８はコンポジットやコンポーネントといったアナログ映像信号とアナログ音声信号を出力する。また、電子チラシがＰＤＦ（Portable Document Format）の形式で配布されたものならば、表示出力手段８でＰＤＦビューア機能を備えることにより、そのグラフィックス情報を静止画映像として出力する。また、表示装置９がＦＡＸ機器である場合には、表示出力手段８は電話線を介して電子チラシをＦＡＸ規格に準じた形で出力する。さらに、表示装置９がＷＥＢブラウザを搭載したパソコンである場合には、表示出力手段８はＷＥＢサーバ機能を備え、ＨＴＭＬ形式のデータとして出力する。
なお、図示していないが、ホームゲートウェイ装置１自身は各種の安全手段を備えた装置として実現される。
【００１２】
以上のように、この実施の形態１によれば、ホームゲートウェイ装置１は、データを蓄積する蓄積手段７と、入力された電子チラシ情報（電子配達データ）を蓄積手段７に記憶するデータ処理手段６と、外部通信手段２が外部ネットワークから受信したパケットが当該ホームゲートウェイ装置自身宛のものであった場合にそのパケットを電子チラシ情報（電子配達データ）としてデータ処理手段６へ転送する中継手段と、各戸のドアや門扉の付近に設置された入力ポートから近接無線通信を用いて電子チラシ情報（電子配達データ）を入力し、入力された電子チラシ情報（電子配達データ）をデータ処理手段６に出力する外部入力手段４を備えているので、電子ポストとして、外部ネットワーク経由および直接訪問などで入力される各種データの配布方法に柔軟に対応することができる。
【００１３】
実施の形態２．
上記実施の形態１では、電子チラシの配布先を指定する手段をホームゲートウェイ装置自身のＩＰアドレスとしたが、本来ＩＰアドレスは家屋の住所（所在地）を表す情報とは無関係なので、特定の地域を指定して電子チラシの配布を行うような場合には予め配布を行うセンタ側などで住所情報とホームゲートウェイ自身のＩＰアドレスの対応関係をデータとして保持しておき、配布時に照合して配布地域に合ったＩＰアドレスを選択する必要がある。また、電子チラシの配布においては、同じ内容のデータを配信するので、個々のホームゲートウェイに対して個別にユニキャスト方式で配信するよりも、マルチキャスト方式のような同報的な配布が望まれる。この実施の形態２はこのような課題に対応できるようにしたホームゲートウェイ装置について説明する。
【００１４】
図３はＩＰパケットに住所情報を格納した場合の配布方法を例示する。ＩＰパケット３０で示す例では、「東京都中央区晴海９丁目２８番地４号  マンション平成  ３０７号室」を住所とする場所にホームゲートウェイ装置が設置されているものと仮定する。ＩＰパケット３０は、ＵＤＰ（User Datagram Protocol）ヘッダ以降に地域を識別するための地域フィールドを設定する。各地域フィールド（１，２，…）に対応して地域の住所を表す大小括りが順次あてはめられている。エンドマーカは指定するフィールドの終端を意味する。例１の場合は、住所の最後「３０７号室」まで指定されているので、３０７号室に設置されたホームゲートウェイ装置だけに配信されることになる。例２の場合は、部屋番号が指定されていないので、この番地に該当する「マンション平成」の全室に対して配信されることになる。また、例３の場合は、「９丁目」までが指定されているので、９丁目に設置された全てのホームゲートウェイ装置に対して配信されることになる。
【００１５】
図２はこの発明の実施の形態２によるホームゲートウェイ装置の構成を示すブロック図である。図において、図１に相当する部分には同一符号を付し、原則としてその説明は省略する。図２の構成は、図１の中継手段５とデータ処理手段６の間に、ＩＰアドレスそのものではなく、住所などによる指定を可能とするための端末識別手段２０を新たに設けている。
端末識別手段２０に対しては、ホームゲートウェイ装置１の設置時に図３に示したような地域フィールドに該当する各住所値が設置住所に対応して設定されるものする。また、ＩＰパケット３０は、ＩＰレベルではマルチキャストプロトコルに準拠した方法で配信されるものとする。
マルチキャストアドレスが指定された電子チラシが配信されると、外部通信手段２でそのＩＰパケットを受信する。受信したＩＰパケットは中継手段５により端末識別手段２０に中継される。端末識別手段２０では、ＵＤＰペイロード部分に書かれた地域フィールドを順番に自身に設定された住所値と比較していく。比較がマッチしていてエンドマーカまで来た場合には、自身が配布の対象となっていると認識して該当するＩＰパケットをデータ処理手段６に転送する。また、配布に該当する全てのＩＰパケットに地域フィールドを設け、毎回精査させることはオーバヘッドを伴うことから、ＵＤＰヘッダ内のポート番号フィールドを利用して、セッション開始時のポート番号を指定し、そのポート番号についてはセッション用ということで端末識別手段２０は全て地域を比較する。マッチした場合は、別フィールドで指定されるデータ転送用の動的なポート番号を覚え、以降は記憶したデータ転送用ポート番号を有するＩＰパケットだけをデータ処理手段６に転送するようにしてもよい。
【００１６】
以上のように、この実施の形態２によれば、大小の住所値を順次設定した複数の地域フィールドを持つＩＰパケットを中継手段５から入力された場合に、端末識別手段２０が、地域フィールドの住所値と自己に設定された住所値とを比較し、両者が一致している場合にのみ該当ＩＰパケットをデータ処理手段６に転送して電子チラシ情報（電子配達データ）を蓄積手段６に蓄積するようにしたので、実際の住所に設置されたホームゲートウェイ装置１への配信を可能にする。また、エンドマーカまでの地域フィールドに設定された住所値のレベルに応じても一致していれば、自己宛の電子データとして格納するようにしているので、配信側はマルチキャスト方式により多数の同類のホームゲートウェイ装置への配信を可能にする。
【００１７】
実施の形態３．
図５はこの発明の実施の形態３に係る電子チラシ情報の構成例を示す説明図である。
この電子チラシ情報５０は、大きく分けて、各種属性を記述したヘッダ部とチラシの内容データである本体部とで構成される。ヘッダ部には、各チラシデータを識別するための電子チラシＩＤ、チラシの発信者を特定する発信者ＩＤ、電子チラシのカテゴリを表す属性の分類フィールド、本体部符号化形式のフィールドが設定される。分類フィールドは、どのカテゴリに属する電子チラシなのかを、例えば大、中、小の３レベルの構成で表している。また、本体部符号化形式のフィールドは、本体データが単なるテキストなのか、静止画なのか、動画なのかといった種別に関わる符号化形式を表している。
【００１８】
図４はこの発明の実施の形態３によるホームゲートウェイ装置の構成を示すブロック図である。図において、図１に相当する部分には同一符号を付し、原則としてその説明は省略する。図４の構成は、図１の構成に新たにフィルタリング手段４０を設けたものである。
フィルタリング手段４０では、ホームゲートウェイ装置１を所有するユーザの希望に沿って受信を排除するフィルタリング条件が設定されており、その設定条件の情報と電子チラシ情報５０の属性分類フィールドを比較し、設定条件の情報と一致する電子チラシ情報を破棄する。なお、フィルタリング手段４０はデータ処理手段６の入力側に設けた例を示したが、フィルタリング手段４０と蓄積手段７の間に設けるようにしてもよい。
【００１９】
以上のように、この実施の形態３によれば、電子チラシ情報（電子配達データ）に対して、受信を排除するフィルタリング条件を設定するフィルタリング手段４０により、設定されたフィルタリング条件に該当した情報を含む電子チラシ情報（電子配達データ）を破棄するようにしたので、例えば子供のいる家庭で、成人向けの広告などを事前に排除するなど、各家庭の事情に応じて受信する電子チラシを限定することができる。
【００２０】
実施の形態４．
図６はこの発明の実施の形態４によるホームゲートウェイ装置の構成を示すブロック図である。図において、図１に相当する部分には同一符号を付し、原則としてその説明は省略する。図６の構成は、図１の構成に新たに認証手段６０を設けたものである。
認証手段６０には、予めホームゲートウェイ装置１を製造・販売する段階で、正式な機器であることを示すＩＤと個々のホームゲートウェイ装置１を識別するＩＤが安全な方法で格納される。
電子郵便といった電子配達データがホームゲートウェイ装置１に入力される場合、外部入力手段４に対し、例えば非接触型ＩＣカードによる近接無線通信を用いて行われる。その入力の開始時において、認証手段６０は上記ＩＤを利用した公開鍵暗号による機器間認証を実施して、その非接触型ＩＣカードが入力する相手としてふさわしいかどうかを確認する。機器間認証に問題がなかった場合、認証手段６０は非接触型ＩＣカードからの電子配達データを受信し処理手段６を介して蓄積手段７に格納することを許可する。その後、認証手段６０は、蓄積手段７に対して問題なく格納できたことを判別し、正常であれば非接触型ＩＣカードに対して受領のレスボンスを返す。
【００２１】
以上のように、この実施の形態４によれば、認証手段６０を設け、外部入力手段４に入力される電子配達データに対して受信の認証を行うと共に、認証された電子配達データが蓄積されたことを外部入力手段を介して配布元の機器に通知するようにしたので、書留郵便のような電子配達データに対しても、配達先の家庭に確実に配信したことの認証を与えることができる。また、認証結果を非接触型ＩＣカードに記録として残すことで、電子チラシの具体的な配布先や配布件数といったことも容易に把握できる。
【００２２】
実施の形態５．
図７はこの発明の実施の形態５によるホームゲートウェイ装置の構成を示すブロック図である。図において、図１に相当する部分には同一符号を付し、原則としてその説明は省略する。図７の構成は、図１の構成に新たにＦＡＸ入力手段７０を設けたものである。
外部通信手段２は、受信したデータ通信のキャリア信号を識別した場合、相手ＦＡＸ装置からの通信と判断して、受信信号をＦＡＸ入力手段７０に転送する。ＦＡＸ入力手段７０では、ＦＡＸ通信のプロトコルに従い通信を行い、静止画像ファイルとしてバッファリングしていく。ＦＡＸデータが全て揃った段階で、組み立てた静止画像ファイルが蓄積手段７に格納可能かどうか判定し、可能な場合にはデータ処理手段６を介してＦＡＸデータを格納し、ＦＡＸ通信手順を終了させる。
以上のように、この実施の形態５によれば、ＦＡＸ入力手段７０により、外部通信手段２に入力されたＦＡＸデータを静止画ファイルに生成し、電子配達データとしてデータ処理手段６に出力するようにしたので、電子チラシがＦＡＸ形式のデータである場合にも対応できるようになる。
【００２３】
実施の形態６．
図８はこの発明の実施の形態６によるホームゲートウェイ装置の構成を示すブロック図である。図において、図１に相当する部分には同一符号を付し、原則としてその説明は省略する。図７の構成は、図１の構成に新たにライセンス移動手段８０と携帯電話機８１を設けたものである。
紙によるチラシなどでは、販売勧誘、促進の方法として商品や利用サービスに対してクーポン券（割引券や優待券）を印刷添付するということが広く行われている。電子チラシにおいても同様なことが行われる可能性があるが、その場合、添付されたクーポン情報をプリンタやＦＡＸ等で紙に出力するだけでなく、以下に述べるようにして、携帯電話機８１などのモバイル機器に転送して持ち運べるようにすることで利便性を高めることができる。
【００２４】
蓄積手段７に格納された電子チラシの内容は表示出力手段８により表示装置９に提示される。表示される電子チラシにクーポン情報が含まれていた場合、表示出力手段８では、そのクーポン情報を携帯電話機８１に転送するかどうか、およびその転送手段を、赤外線通信やＢｌｕｅｔｏｏｔｈなどの近接無線通信あるいは電子メールにするかを選択する。ライセンス移動手段８０は、選択された方法に従って通信バスを確立し、クーポン情報を携帯電話機８１に転送し記憶させる。ここで、ライセンス移動手段８０において、転送するクーポン情報が第三者に利用されないようにするため、ランダムなパスワードをクーポン券情報に付加するようにしてもよい。
【００２５】
以上のように、この実施の形態６によれば、ライセンス移動手段８０により、蓄積手段７から読み出した電子チラシデータ（電子配達データ）に含まれるクーポン情報を近接無線通信あるいは電子メールによりモバイル機器に転送するようにしたので、わざわざ紙にプリントアウトせずに常時携帯する機器に収めたクーポン情報を運べばよく、利便性を高めることができる。
【００２６】
実施の形態７．
図９はこの発明の実施の形態７に係るインターフォンの構成例を示す正面図である。
図９において、インターフォン９０は、外部入力手段４の一部を構成し、非接触ＩＣカードのような機器と通信を行うための通信インタフェース部９１、ホームゲートウェイ装置１の受信可能状態を示す受信レディ表示器９２、通信状態とその後の格納状況を示すためのステータ表示器９３を備えている。
データ処理手段６では、定期的またはデータの出し入れがあった時に蓄積手段７の空き状態をチェックし、予め規定された残量以上の空き容量があった場合には外部入力手段４の受信レディ表示器９２を例えば緑色に点灯させる。電子チラシの配布者は、この緑色点灯を確認し、通信インタフェース部９１に電子チラシを記憶している非接触型ＩＣカードを近づける。非接触型ＩＣカードが正当なものと判断されると、データ通信が開始され、ステータス表示器９３が黄色の点滅を開始する。このデータ通信が終了し、入力された電子チラシ情報が正常に蓄積手段７に格納された場合には、ステータス表示器９３は３秒間緑色に点灯したのちに消灯する。一方、何らかの要因で格納ができなかった場合は、ステータス表示器９３は３秒間赤色に点灯したのちに消灯する。データ処理手段６は、電子チラシデータに示されたチラシＩＤを参照して、もしも同じものが既に存在する場合には上書きして格納するようにする。
【００２７】
以上のように、この実施の形態７によれば、データ処理手段６は、蓄積手段７の空き状態をチェックして受信レディ表示器９２に入力可能状態を表示し、通信状態と入力された電子チラシ情報（電子配達データ）が蓄積手段７に格納されたか否かの状態をステータス表示器９３に表示するようにしたので、非接触型ＩＣカードなどによる電子チラシ情報（電子配達データ）の配布時に、配布者は各家庭のホームゲートウェイ装置１における電子チラシ情報（電子配達データ）の投函の成否を目視で確認できるようになる。なお、受信レディ表示器９２とステータス表示器９３は、上記例では色の光点灯で表示しているが、液晶を用いた文字表示を行うようにしてもよい。
【００２８】
実施の形態８．
図１０はこの発明の実施の形態８によるホームゲートウェイ装置の構成を示すブロック図である。図において、図１に相当する部分には同一符号を付し、原則としてその説明は省略する。図１０の構成は、図１の構成に新たにログ手段１００を設けたものである。
表示出力手段８が、蓄積手段７に格納された電子チラシの中から、ある電子チラシを選択して表示装置９で表示した際に、ログ手段１００で、選択された電子チラシのＩＤを読み取り、その読み取り度数を加算してログデータとして記録する。この記録されたログデータは、電子チラシの配布センタ側から一定周期で問い合わせを行って吸い上げられるか、あるいは、ある閾値以上になった場合にログ手段１００からセンタ側に自動的にアップロードされることにより利用される。
【００２９】
以上のように、この実施の形態８によれば、ログ手段１００により、蓄積手段７に蓄積された電子チラシ情報（電子配達データ）がどの程度読まれたかの度数を計測して記録するようにしたので、消費者の電子チラシに対する反応を配布センタ側へフィードバックすることが可能になる。
【図面の簡単な説明】
【００３０】
【図１】この発明の実施の形態１によるホームゲートウェイ装置の構成を示すブロック図である。
【図２】この発明の実施の形態２によるホームゲートウェイ装置の構成を示すブロック図である。
【図３】この発明の実施の形態２に係るＩＰパケットに住所情報を格納した場合の配布方法を例示する説明図である。
【図４】この発明の実施の形態３によるホームゲートウェイ装置の構成を示すブロック図である。
【図５】この発明に係る電子チラシデータの構成例を示す説明図である。
【図６】この発明の実施の形態４によるホームゲートウェイ装置の構成を示すブロック図である。
【図７】この発明の実施の形態５によるホームゲートウェイ装置の構成を示すブロック図である。
【図８】この発明の実施の形態６によるホームゲートウェイ装置の構成を示すブロック図である。
【図９】この発明の実施の形態７に係るインターフォンの構成例を示す正面図である。
【図１０】この発明の実施の形態８によるホームゲートウェイ装置の構成を示すブロック図である。
【符号の説明】
【００３１】
１  ホームゲートウェイ装置、２  外部通信手段、３  内部通信手段、４  外部入力手段、５  中継手段、６  データ処理手段、７  蓄積手段、８  表示出力手段８、９  表示装置、１０  インターネット、１１  ホームネットワーク、１２  パソコン、２０  端末識別手段、４０  フィルタリング手段、６０  認証手段、７０  ＦＡＸ入力手段、８０  ライセンス移動手段、１００  ログ手段。
【図１】
2007013793.tif 000003
【図２】
2007013793.tif 000004
【図３】
2007013793.tif 000005
【図４】
2007013793.tif 000006
【図５】
2007013793.tif 000007
【図６】
2007013793.tif 000008
【図７】
2007013793.tif 000009
【図８】
2007013793.tif 000010
【図９】
2007013793.tif 000011
【図１０】
2007013793.tif 000012